(57)【要約】従来のＲＡＫＥ合成受信機は、拡散率が小さい、マルチパス数が多い、干渉信号電力が希望信号電力に比べ大きい場合は、逆拡散処理による干渉信号の抑圧が不十分で、受信特性が大きく劣化する。拡散符号化された受信拡散信号を、復調部・パス合成部で拡散符号により逆拡散処理を行い、復号部で復号する受信装置の前記復調部・パス合成部は、タップ係数を出力するＣＩＲ推定部と、タップ係数算出部とを備え、切換器でＣＩＲ推定部と、タップ係数算出部とを切り換え、受信拡散信号をタップ係数により重み付けして合成する積分器と、この合成された信号を、割り当てられた拡散符号で逆拡散処理を行う逆拡散部とで構成され、干渉抑圧部を従来のＲＡＫＥ受信機と共有化することにより、回路規模を削減できる。
2005013505.tif 000002
【特許請求の範囲】
【請求項１】
受信された受信拡散信号をＡ／Ｄ変換する無線受信部と、前記無線受信部の出力を割り当てられた拡散符号により逆拡散処理を行ってパス合成する復調部・パス合成部と、パス合成して取り出されたデータチャネル信号を復号する復号部を備えた受信装置において、
前記復調部・パス合成部は、受信拡散信号の対象パスを検出するパス検出部と、前記受信拡散信号と前記パス検出部の出力からタップ係数を出力するＣＩＲ推定部と、同じく前記受信拡散信号と前記パス検出部との出力からタップ係数を出力するタップ係数算出部と、前記ＣＩＲ推定部の出力と前記タップ係数算出部の出力とを切り換える切換器と、前記受信拡散信号の遅延時間を前記パス検出部からの遅延量に従って調整する可変遅延部と、前記可変遅延部の出力を前記ＣＩＲ推定部または前記タップ係数算出部のタップ係数を用いて重み付けして合成する積分器と、この合成された信号を、割り当てられた拡散符号で逆拡散処理を行う逆拡散部とで構成されることを特徴とする受信装置。
【請求項２】
前記可変遅延部はＲＡＭにより構成されることを特徴とする請求項１記載の受信装置。
【請求項３】
前記ＣＩＲ推定部または前記タップ係数算出部の出力を入力し、対象パス数情報から、設定する遅延量の数およびタップ係数の数を決定し、対象パス数を超える余剰回路の動作を行わないように制御する遅延量・タップ係数制御部をさらに設けたことを特徴とする請求項１又は２に記載の受信装置。
【請求項４】
前記タップ係数算出部は、前記パス検出部により検出されたそれぞれの対象パスのパスタイミングおよびパスレベルに基づいて、それぞれの対象パスが他の対象パスから受ける干渉成分を低減するための擬似パスタイミングを求め、前記パスタイミングおよび前記擬似パスタイミングに基づいて前記タップ係数を算出することを特徴とする請求項１ないし３のいずれか１項に記載の受信装置。
【請求項５】
前記タップ係数算出部は、それぞれの対象パスの前記パスレベルに基づいて前記擬似パスタイミングの優先順序付けを行い、前記優先順序付けの結果にしたがって、あらかじめ設定されたタップ係数の設定可能数の範囲内となる前記擬似パスタイミングを特定することを特徴とする請求項４記載の受信装置。
【発明の詳細な説明】
【技術分野】
【０００１】  この発明は、スペクトル拡散通信方式およびＣＤＭＡ（Ｃｏｄｅ  Ｄｉｖｉｓｉｏｎ  Ｍｕｌｔｉｐｌｅ  Ａｃｃｅｓｓ）通信方式の受信装置に関する。
【背景技術】
【０００２】  ＣＤＭＡを用いた移動通信システムにおいて、下り回線を用いた高速データ通信が提案されている。この方式は拡散符号が移動局毎に異なるため、基地局において互いに直交する拡散符号を用いて拡散され、多重化されて送信された信号は、各移動局では、受信信号を自局に割り当てられた拡散符号を用いて、整合フィルタにより逆拡散して自局信号を抽出し、自局宛の信号を他移動局宛の信号と区別して受信することが可能である。【０００３】  伝搬環境によって遅延波が発生するマルチパス環境下では、各マルチパスをそれぞれの同期タイミングで逆拡散し、位相と振幅で重み付けして合成することにより受信信号のＳＮＲ（信号電力対雑音電力比）を向上させることができる。これはＲＡＫＥ受信機として一般に知られているものである。【０００４】  ここで、各マルチパス信号は、逆拡散処理により希望信号が抽出され、干渉信号は抑圧されるが、拡散率が比較的小さく、マルチパス数が非常に多い場合や、希望信号のマルチパス成分とコード多重されたその他の信号のマルチパス成分である干渉信号電力が大きい場合には、逆拡散処理を行っても干渉信号成分が十分に抑圧されずに残留することにより受信特性の劣化が生じる。【０００５】  上記問題点を解消するものとして特許第３３３４６４８号公報がある。しかし、この特許第３３３４６４８号公報はＲＡＫＥ合成部と等化部とを別々に備えているため、回路規模が増大する。また、等化部にトランスバーサルフィルタを用いているため、さらに回路規模が増大してしまう問題点がある。【０００６】
【特許文献１】特許第３３３４６４８号公報
【発明の開示】
【発明が解決しようとする課題】
【０００７】  上記のように、従来のＲＡＫＥ合成受信機では、拡散率が比較的小さく、マルチパス数が多い場合や、希望信号のマルチパス成分とコード多重されたその他の信号のマルチパス成分である干渉信号電力が希望信号電力に比べて大きい場合などには、逆拡散処理による干渉信号の抑圧が十分行われないため、受信特性が大きく劣化してしまうという問題があった。【０００８】  それに対して、拡散率が十分に大きく、マルチパス数が比較的少ない場合や、希望信号のマルチパス成分とコード多重されたその他の信号のマルチパス成分である干渉信号電力が希望信号電力に比べて小さい場合には、干渉信号を除去せずに、ＲＡＫＥ受信機によりパス合成を行った方が受信特性が良い。【０００９】  本発明は、上記ＲＡＫＥ受信機の特性劣化要因である干渉信号を抑圧することで特性を改善する干渉抑圧部を備え、回路部品を従来のＲＡＫＥ受信機と共有化することにより、回路規模を小さくできる構成とすることを目的とする。
【課題を解決するための手段】
【００１０】  本発明の受信装置は、拡散符号化された受信拡散信号を、復調・パス合成部で拡散符号により逆拡散処理を行い、復号部で復号する受信装置の前記復調・パス合成部が、タップ係数を出力するＣＩＲ推定部と、同じくタップ係数を出力するタップ係数算出部とを備え、切換器でＣＩＲ推定部と、タップ係数算出部とを切り換え、受信拡散信号をタップ係数により重み付けし、重み付けされた信号を合成する積分器と、この合成された信号を、割り当てられた拡散符号で逆拡散処理を行う逆拡散部とで構成される。
【発明の効果】
【００１１】  本発明による受信機では、ＣＩＲ推定部からの出力と、タップ係数算出部からの出力を切り替えて選択し、各パスの重み係数として重み付けされた信号をパス合成することにより、通常のＲＡＫＥ合成機能と干渉抑圧機能とを備え、各可変遅延部、各タップ係数乗算部、積分器を共通化させることができ回路規模の削減が図れる。
【図面の簡単な説明】
【００１２】［図１］本発明の実施の形態１に関する構成図。
［図２］実施の形態１における復調部・パス合成部の構成図。
［図３］タップ係数算出部の処理の一例を説明する図。
［図４］実施の形態２における復調部・パス合成部の構成図。
［図５］実施の形態３における復調部・パス合成部の構成図。
［図６］本発明の実施の形態４におけるパス検出部で受信される２つのパスの信号タイミングを示す図。
［図７］本発明の実施の形態４におけるタップ係数算出部２０３の処理の一例を説明する図。
［図８］本発明の実施の形態４におけるタップ係数算出処理のフローチャート。
［図９］本発明の実施の形態４におけるタップ数削減処理を説明するための３つのパスの信号タイミングを示す図。
［図１０］本発明の実施の形態４におけるタップ数削減処理を説明するための擬似パスタイミングを示した図。
【発明を実施するための最良の形態】
【００１３】  実施の形態１．
実施の形態１について説明する。本発明の実施の形態１に関する構成を図１に示す。図１において、受信信号は、受信アンテナ１０１により受信され、無線受信部１０２において受信電力増幅、ダウンコンバート、Ａ／Ｄ変換等が行われ、復調部・パス合成部１０３に入力される。復調部・パス合成部１０３では、移動局毎に割り当てられた拡散符号により逆拡散処理を行い、パス合成して取り出したデータチャネル信号を復号部１０４へ出力する。復号部１０４では、入力されるデータチャネル信号を復号し、復号信号を取り出す。【００１４】  復調部・パス合成部１０３の構成を図２に示す。図２において、受信拡散信号はパス検出部２０１に送られると同時にＣＩＲ（Ｃｈａｎｎｅｌ  Ｉｍｐｕｌｓｅ  Ｒｅｓｐｏｎｓｅ）推定部２０２、タップ係数算出部２０３、可変遅延部２０４−１〜２０４−Ｎに入力される。ここでＮは、パス合成に用いる対象パス数を表す。可変遅延部２０４−１〜２０４−Ｎでは、パス検出部２０１から送られる各対象パスの遅延量ｄ１〜ｄＮに従ってその遅延時間を調整し、その出力を乗算器２０５−１〜２０５−Ｎへ送る。【００１５】  乗算器２０５−１〜２０５−Ｎでは、切換器２０９によって切り換えられるＣＩＲ推定部２０２またはタップ係数算出部２０３から入力されるタップ係数ｃ１〜ｃＮと、可変遅延部２０４−１〜２０４−Ｎの出力とを乗算する。乗算器２０５−１〜２０５−Ｎの各乗算結果は積分器２０６で積分されパス合成される。積分器２０６からの出力は、逆拡散部２０７−１〜２０７−Ｍへ入力され（ここでＭは拡散符号多重数を表す）、割り当てられた拡散符号で逆拡散処理を行い、Ｐ／Ｓ（Ｐａｒａｌｌｅｌ／Ｓｅｒｉａｌ）変換部２０８でＰ／Ｓ変換されて出力される。【００１６】  切換器２０９は例えば、パス検出部２０１が検出する処理対象パス数が所定の値より小さい場合はＣＩＲ推定部２０２側に、所定の値より大きい場合はタップ係数算出部２０３側に切り換えるように動作する。
また、切換器２０９が切り換え動作をする他の情報にパスの受信強度がある。例えば、パス間の受信強度のレベル差が大きい場合は、ＣＩＲ推定部２０２に、レベル差が小さい場合はタップ係数算出部２０３に切り換えるように動作する。
さらに、受信装置で使用される無線通信システムによって定まる拡散率によって切り換える方法もある。【００１７】  ここで、ＣＩＲ推定部２０２から出力されるタップ係数を用いてパス合成をする場合には、本受信機は通常のＲＡＫＥ合成機となり、乗算器２０５−１〜２０５−Ｎで重み付けされて合成された信号が、逆拡散されて出力されることになる。【００１８】  一方、タップ係数算出部２０３から出力されるタップ係数を用いてパス合成をする場合には、そのタップ係数算出目的に合わせたタップ係数を用いて、乗算器２０５−１〜２０５−Ｎで重み付けされて合成された信号が、逆拡散されて出力されることになる。【００１９】  タップ係数算出部２０３にて行われるタップ係数算出処理をその一例をあげて説明する。図３には、マルチパス数が２の場合の例を示している。【００２０】  図３（ａ）には、受信遅延プロファイルを示す。各パスが時刻ｔ１とｔ２に入射する場合を表し、横軸に時間、縦軸に電力を表す。【００２１】  一般に、各パスの伝送路情報（振幅および位相情報）は、データチャネル信号と多重されて送信される既知パイロットチャネルを用いた相関処理等によって求められる。【００２２】  最大電力の時刻ｔ２のパスを希望パスとし、時刻ｔ１のパスを干渉パスとする。このとき、時刻ｔ１の干渉パスを除去するように、各パスの伝送路情報を用いて図３（ｂ）に示す出力を得られるようなタップ係数を算出する。【００２３】  具体的には、時刻ｔ１のパスの伝送路情報を複素数ｈ１、時刻ｔ２のパスの伝送路情報を複素数ｈ２とすると、図３（ｂ）に示す出力を得るためのタップ係数ｈ’は、ｈ’＝−ｈ１／ｈ２で求められる。【００２４】  このタップ係数を乗算器２０５−２に与えられるタップ係数ｃ２として設定し、乗算器２０５−１に与えられるタップ係数ｃ１を１として得られたそれぞれの乗算結果を積分器２０６にてパス合成すると、図３（ｃ）に示すような出力が得られ、時刻ｔ１に示すパスが除去され、マルチパス干渉の影響が抑圧されることになる。【００２５】  ここでの可変遅延部２０４は、２０４−１、２０４−２のみに遅延量ｄ１、ｄ２が設定され、乗算器２０５は２０５−１、２０５−２のみにタップ係数ｃ１、ｃ２が設定される。２０４−３〜２０４−Ｎの遅延量ｄ３〜ｄＮおよび２０５−３〜２０５−Ｎのタップ係数ｃ３〜ｃＮはそれぞれ０に設定される。（タップ係数ｃ３〜ｃＮが０に設定されれば、遅延量ｄ３〜ｄＮは必ずしも０である必要はない。）【００２６】  なお、タップ係数算出部２０３から出力されるタップ係数を上記一例を用いて説明したが、本発明は上記演算処理例に限定されるものではなく、タップ係数算出のための各種アルゴリズムの演算に対応可能な構成となっている。【００２７】  以上から、本受信機では、ＣＩＲ推定部２０２からの出力と、タップ係数算出部２０３からの出力を切り替えて選択し、各パスの重み係数としてパス合成することにより、通常のＲＡＫＥ合成機能と干渉抑圧機能とを備え、各可変遅延部２０４−１〜２０４−Ｎ、各タップ係数乗算部２０５−１〜２０５−Ｎ、積分器２０６を共通化させることにより回路規模の削減を図る構成であることを特徴とする。【００２８】  なお、各パスの伝送路情報（振幅および位相情報）は、タップ係数算出部２０３内で推定処理を行ってもよいし、ＣＩＲ推定部２０２からの情報を用いてもよい。【００２９】  実施の形態２．
実施の形態２について説明する。実施の形態２における受信機の構成を図４に示す。なお、図４において実施の形態１と同様の部分には同一の符号を付して説明を省略する。【００３０】  本実施の形態では、パス検出部２０１において、対象とするパス数を決定した後、ＣＩＲ推定部２０２またはタップ係数算出部２０３で対象パス数に対応したタップ係数を求め、それらの出力を遅延量・タップ係数制御部３０１へ入力する。遅延量・タップ係数制御部３０１では、対象パス数情報から、設定する遅延量およびタップ係数の数を決定し、対象パス数以上の余剰回路の動作を行わないよう制御を行う。【００３１】  例えば、実施の形態１にて説明したパス数が２の場合には、可変遅延部は２０４−１と２０４−２のみに遅延量を設定し、乗算器は２０５−１と２０５−２のみにタップ係数を設定し、可変遅延部２０４−３〜２０４−Ｎおよび乗算器２０５−３〜２０５−Ｎは動作を停止するように制御する。【００３２】  このように、対象パス数を越えた部分に対応する可変遅延部および乗算器の動作を停止することにより、演算量が削減され、受信機の消費電力の削減が可能となる。【００３３】  なお、上記では、対象パス数が２の場合について説明したが、対象パス数は２に限定されることはなく、任意のパス数に設定することが可能であるのは言うまでもない。
また、受信機の動作中に、受信環境の変化によりパス検出部２０１から出力されるパス数に変化が生じる場合があるが、このような場合にも遅延量・タップ係数制御部３０１は対応が可能である。【００３４】  実施の形態３．
実施の形態３について説明する。実施の形態３における受信機の構成を図５に示す。なお、図５において実施の形態１、実施の形態２と同様の部分には同一の符号を付して説明を省略する。【００３５】  本実施の形態では、可変遅延部２０４−１〜２０４−Ｎの代わりにＲＡＭ４０１を用いた構成とする。
ＲＡＭ４０１は受信拡散信号を遅延量・タップ係数制御部３０１から出力された各遅延量に従い、その遅延量に対応した信号を出力する機能を備える。【００３６】  パス検出部２０１、ＣＩＲ推定部２０２、タップ係数算出部２０３の各出力は、遅延量・タップ係数算出部３０１に入力され、対象パス数に対応した制御が行われる。【００３７】  遅延量・タップ係数制御部３０１から出力された遅延量に従い、ＲＡＭ４０１では各遅延量に対応した出力信号を乗算器２０５−１〜２０５−Ｎへ出力する。乗算器２０５−１〜２０５−Ｎのタップ係数乗算処理以降は実施の形態１と同様の処理を行う。【００３８】  遅延量・タップ係数制御部３０１から出力されるタップ係数に関しては、実施の形態２と同様に、対象パス数に対応した遅延量の入力、乗算器への出力、タップ係数の乗算、パス合成を行う。【００３９】  上記により、ＲＡＭ４０１を用いることにより、可変遅延部２０４−１〜２０４−Ｎが削除でき、回路規模削減が図れることになる。【００４０】  実施の形態４．
実施の形態４について説明する。ここで、実施の形態４における受信機の構成は、実施の形態１の構成を示した図２と同一である。ただし、実施の形態２の構成を示した図４あるいは実施の形態３の構成を示した図５によっても対応可能であることは明らかである。【００４１】  タップ係数算出部２０３における動作の具体例と、その場合のタップ数削減処理について、図面を用いて以下に説明する。【００４２】  図６は、本発明の実施の形態４におけるパス検出部２０１で受信される２つのパスの信号タイミングを示す図である。時刻ｔ＝Ｔ１にパス１が受信され、時刻ｔ＝Ｔ２にパス２が受信されるとし、それぞれの伝送路変動値をｆ１、ｆ２とする。【００４３】  それぞれの正しい逆拡散タイミングは、図６中のｔ＝Ｔ１、ｔ＝Ｔ２である。パス２の信号を得るためにｔ＝Ｔ２から逆拡散した信号をｙ２とすると、ｙ２は、パス２をｔ＝Ｔ２から逆拡散した希望信号ｆ２Ｓと、パス１をｔ＝Ｔ２から逆拡散したマルチパス干渉ｆ１Ｉ２と、雑音ｎ２との和となり、下式（１）で表される。【００４４】    ｙ２＝ｆ２Ｓ＋ｆ１Ｉ２＋ｎ２            （１）【００４５】  ここで、Ｉ２は、タイミングｔ＝Ｔ２での全ての送信信号からの干渉成分である。【００４６】  次に、図７は、本発明の実施の形態４におけるタップ係数算出部２０３の処理の一例を説明する図である。図７に示すように、ｔ＝Ｔ２から（Ｔ２−Ｔ１）だけ遅れたタイミングに擬似パスタイミングＴ２１＝Ｔ２＋（Ｔ２−Ｔ１）＝２Ｔ２−Ｔ１を設定する。そして、このタイミングから逆拡散した信号をｙ３とすると、信号ｙ３は、ｙ２の干渉成分と相関を持つ成分ｆ２Ｉ２を持つことになり、下式（２）で表される。【００４７】    ｙ３＝ｆ１Ｉ３＋ｆ２Ｉ２＋ｎ３            （２）【００４８】  ここで、Ｉ３は、タイミングｔ＝Ｔ２１での全ての送信信号からの干渉成分である。このｔ＝Ｔ２１のような擬似パスタイミングを用いることで、干渉電力を低減できることを以下に示す。干渉電力の平均値をＩ２＝＜｜Ｉ２｜２＞＝＜｜Ｉ３｜２＞とし、簡単のため、ｆ１＝ｆ２＝１、ｎ２＝ｎ３＝０とすると、ｙ２の信号対干渉電力比は｜Ｓ／Ｉ｜２で表される。【００４９】  ここで、ｙ３に適当な係数ｒ＝１／２を掛け、ｙ２から減算した場合、式（１）および式（２）から下式（３）を得る。【００５０】    ｙ２−ｒｙ３＝（ｆ２Ｓ＋ｆ１Ｉ２＋ｎ２）−ｒ（ｆ１Ｉ３＋ｆ２Ｉ２＋ｎ３）
＝（Ｓ＋Ｉ２）−（１／２）（Ｉ３−Ｉ２）
＝Ｓ＋（１／２）Ｉ２−（１／２）Ｉ３            （３）【００５１】  上式（３）の平均干渉電力を求めると、（１／２）Ｉ２となり、ｙ２の半分になることが分かる。【００５２】  すなわち、干渉の一部を元の干渉とは相関のない別の干渉と交換することで平均的な干渉電力を低減している。ここで、一般のｆ１、ｆ２の場合の係数ｒは、下式（４）で求めることができる。ここで＊は複素共役を示す。【００５３】    ｒ＝（ｆ１ｆ２＊Ｉ２）／（｜ｆ１｜２Ｉ２＋｜ｆ２｜２Ｉ２−ｎ２）      （４）【００５４】  また、タイミングｔ＝Ｔ１で逆拡散した信号についても、擬似パスタイミングｔ＝Ｔ１２＝２Ｔ１−Ｔ２を用いて同様に処理できる。したがって、各受信パスをそのタイミングで逆拡散した結果に対して、他の受信パスからの干渉成分を抑圧するための擬似パスタイミングにおいて逆拡散した結果を加味することにより、干渉信号成分の低減を図ることができる。【００５５】  しかし、この方法を用いて干渉成分の抑圧を図る場合、全ての受信パスの組合せに対して擬似パスタイミングを設定しなければならず、受信パスの増加に伴い擬似パスタイミングも増加し、回路規模の増大、演算量の増大が避けられない。受信パス数がＮのとき、擬似パスタイミングはＮ（Ｎ−１）必要であり、タップ数の総数は、本来の受信パス数のＮと、擬似パスタイミング数のＮ（Ｎ−１）を合わせたＮ２となる。【００５６】  そこで、特性劣化を抑え、かつ、回路規模および演算量の削減を行うためのタップ係数算出処理を次に説明する。図８は、本発明の実施の形態４におけるタップ係数算出処理のフローチャートである。【００５７】  タップ数を削減するにあたっては、希望信号成分をより大きく残し、干渉信号成分をより大きく除くように擬似パスタイミングを選定することが重要となる。そこで、全ての疑似パスタイミングについて順位付けを行い、タップ数の許す範囲内で、優先順位の高い擬似パスタイミングを採用することにより、干渉信号成分の低減とタップ数の削減との両立を図ることができる。【００５８】  まず始めに、パス検出部２０１により受信パスの各パスタイミングを検出し、タップ係数算出部２０３内（またはＣＩＲ推定部２０２）にて各パスレベルを検出する（ステップＳ８０１）。次に、全受信パスの中からパスレベルが最も大きいパスｉを選択する（ステップＳ８０２）。【００５９】  ステップＳ８０２で選んだ受信パスｉに対する干渉は、残りの受信パスによる干渉であり、残りの受信パスの中からパスレベルが最も大きいパスｊを選ぶ（ステップＳ８０３）。この操作により、最も大きな受信パスｉと、受信パスｉに対して最も大きな干渉を与えるパスｊとの組合せ（ｉ、ｊ）を選び出すことができる。【００６０】  次に、ステップＳ８０２、Ｓ８０３で選んだパスの組合せ（ｉ、ｊ）を加えることにより、本来の受信パス数と、選択したパスの組合せの数との総数が、タップ係数の設定可能数に達したかを判断する（ステップＳ８０４）。達していないと判断した場合には、ステップＳ８０２で選んだパスｉに対して干渉を与えるパスを全て選択したかを判断する（ステップＳ８０５）。【００６１】  全てのパスを選択していないと判断した場合には、ステップＳ８０３に進み、パスｉに対して干渉を与える未選択のパスの中で最大レベルとなる新たなパスｋを選び出す。そして、新たな組合せのパスを選択した後に、本来の受信パス数と、選択したパスの組合せの数との総数が、タップ係数の設定可能数に達したかを再び判断する（ステップＳ８０４）。以下、タップ係数の設定可能数までパスの組合せの選択処理を繰り返す。【００６２】  一方、ステップＳ８０５において、全てのパスを選択したと判断した場合には、ステップＳ８０２に進み、未選択の受信パスの中からパスレベルが最も大きい新たなパスｌを選択する。さらに、新たなパスｌに対して干渉を与えるパスの中からパスレベルが最も大きいパスｍを選ぶ（ステップＳ８０３）。そして、新たな組合せのパスを選択した後に、本来の受信パス数と、選択したパスの組合せの数との総数が、タップ係数の設定可能数に達したかを再び判断する（ステップＳ８０４）。以下、タップ係数の設定可能数までパスの組合せの選択処理を繰り返す。【００６３】  上述したステップＳ８０２〜Ｓ８０５の一連の処理を繰り返すことにより、本来の受信パス数と、選択したパスの組合せの数との総数が、タップ係数の設定可能数まで達した場合には、選んだ各パスの組合せについて、干渉抑圧のためのタップ係数を上述した式（４）により求め、その後の復調処理を行う（ステップＳ８０６）。【００６４】  以上の操作により、あらかじめ設定されたタップ係数の設定可能数の範囲内で、電力レベルの優先順位に応じてパスの組合せを選択でき、干渉信号成分の低減とタップ数の削減との両立を図ることができる。【００６５】  以下に、具体的な例として、３つの受信パスに対するタップ係数算出処理を説明する。図９は、本発明の実施の形態４におけるタップ数削減処理を説明するための３つのパスの信号タイミングを示す図である。Ｔ１＝０に電力０．５のパス１、Ｔ２＝３に電力１．０のパス２、Ｔ３＝５に電力０．２５のパス３が入射すると仮定する。【００６６】  これに対して、図１０は、本発明の実施の形態４におけるタップ数削減処理を説明するための擬似パスタイミングを示した図である。パス１〜３の入射に対して、擬似パスタイミングは、それぞれＴ１２、Ｔ１３、Ｔ２１、Ｔ２３、Ｔ３１、Ｔ３２として設定されることになる。ここで、図８のフローチャートで説明したタップ数削減処理を適用し、選択される擬似パスタイミングの優先順位を付ける。【００６７】  まず、時刻Ｔ１、Ｔ２、Ｔ３における３つの受信パスであるパス１、パス２、パス３の中で、最もレベルの大きなパス２を選択する。さらに、パス２に対して干渉を与えるパス１、３の中で最もレベルの大きなパス１を選択することにより、優先順位の高い擬似パスタイミングとしてＴ２１が特定される。次に、パス１、３の中で、すでに選択したパス１以外のパス３を、パス１の次にレベルが大きいパスとして選択することにより、次に優先順位の高い擬似パスタイミングとしてＴ２３が特定される。以上の処理により、最もレベルの大きなパスとしてパス２を選択した場合の、擬似パスタイミングの順位付けが、Ｔ２１、Ｔ２３の順として特定される。【００６８】  次に、すでに最もレベルの大きいパスとして選択したパス２以外の受信パス１、３の中���ら、レベルの大きなパス１を選択する。さらに、パス１に対して干渉を与えるパス２、３の中で最もレベルの大きなパス２を選択することにより、優先順位の高い擬似パスタイミングとしてＴ１２が特定される。次に、パス２、３の中で、すでに選択したパス２以外のパス３を、パス２の次にレベルが大きいパスとして選択することにより、次に優先順位の高い擬似パスタイミングとしてＴ１３が特定される。以上の処理により、パス２の次にレベルの大きなパスとしてパス１を選択した場合の、擬似パスタイミングの順位付けが、Ｔ１２、Ｔ１３の順として特定される。【００６９】  最後に、受信パス３を選択した場合も同様に、擬似パスタイミングの順位付けが、Ｔ３２、Ｔ３１の順として特定される。この結果、全ての擬似パスタイミングの順序付けは、Ｔ２１、Ｔ２３、Ｔ１２、Ｔ１３、Ｔ３２、Ｔ３１の順で定まる。【００７０】  上述の説明では、３つの受信パスに対する全ての６とおりの擬似パスタイミングについて順位付けを行っており、タップ係数の設定可能数が３＋６＝９以上であれば、この６とおりの全ての擬似パスタイミングを採用できる。【００７１】  一方、あらかじめタップ係数の設定可能数を設定しておくことにより、設定可能数の範囲内で、電力レベルの優先順位に応じてパスの組合せを選択でき、干渉信号成分の低減とタップ数の削減との両立を図ることができる。例えば、図１０においてタップ係数の設定可能数が６であった場合には、パス１〜３に対応する時刻Ｔ１、Ｔ２、Ｔ３の３つと、擬似パスタイミングとして順序付けされた上位３つの時刻Ｔ２１、Ｔ２３、Ｔ１２が選択され、タップ係数の算出および復調処理が行われることとなる。
【産業上の利用可能性】
【００７２】  従来のＲＡＫＥ合成部と干渉波除去部との共有化が実現され、回路規模が削減されるＣＤＭＡ方式の無線通信機器への適用に好適である。
【図１】
2005013505.tif 000003
【図２】
2005013505.tif 000004
【図３】
2005013505.tif 000005
【図４】
2005013505.tif 000006
【図５】
2005013505.tif 000007
【図６】
2005013505.tif 000008
【図７】
2005013505.tif 000009
【図８】
2005013505.tif 000010
【図９】
2005013505.tif 000011
【図１０】
2005013505.tif 000012
【国際調査報告】
2005013505.tif 000013
2005013505.tif 000014